(57)【要約】【課題】  小型軽量で部品交換等のメンテナンス性が良いとともに照明性能と省エネルギー性を向上させた暗所作業照明器を提供する。【解決手段】  垂直姿勢の保持管１５に水平方向の放射状に複数個配置した口金ソケット１７と、上記各口金ソケットに口金１９Ａをねじ込んで取り付け安定器１９Ｂを内蔵させた渦巻型又は電球型の蛍光灯１９と、上記蛍光灯を閉塞すべく保持管の上下に固着させた半透明のカバー体２０，２１と、上記カバー体に備えた電源用コネクター１２と、で構成されている。【選択図】図２
0003118411.tif 000002
【実用新案登録請求の範囲】
【請求項１】
支持体により垂直方向に支持された保持管と、上記保持管に対して水平方向で且つ放射状に複数配置された口金ソケットと、上記各口金ソケットに口金をねじ込んで取り付けられ安定器が内蔵された渦巻型又は電球型をなす蛍光灯と、上記蛍光灯を被うように配置され保持管の上端部及び下端部に固着された半透明のカバー体と、上記カバー体に設けられた電源用コネクターと、を具備したことを特徴とする暗所作業照明器。
【請求項２】
上記支持体は保持管の下端部に接続された支持棒と、支持棒をその下部で直立保持する三脚とからなることを特徴とする請求項１記載の暗所作業照明器具。
【請求項３】
上記支持体は保持管の上端部に接続された螺子部材と、上記螺子部材に取り付けられたシャコ万力とからなることを特徴とする請求項１記載の暗所作業照明器。
【請求項４】
上側の半球カバー体の上には防滴半球カバー体が取り付けられていることを特徴とする請求項１〜３のうちいずれか１項に記載の暗所作業照明器。
【請求項５】
保持管の上端部と下端部とを上下に繋ぐことにより２つ以上の暗所作業照明器を連結する連結管と、２つ以上の暗所作業照明器の電源用コネクターとの接続を可能とする接続用コネクターと、を具備したことを特徴とする請求項１〜４のうちいずれか１項に記載の暗所作業照明器。
【考案の詳細な説明】
【技術分野】
【０００１】
本考案は暗所作業照明器に係り、特に、省エネルギーでありながら所定の照明性能を備え小型軽量でメンテナンス性を良くしたものに関する。
【背景技術】
【０００２】
従来から、照明施設の無い暗所（工場建物内・トンネル内・夜間の道路工事現場）等での作業場所を照明する移動式の暗所作業照明器が提供されている。その暗所作業照明器には、白熱電球や棒状の蛍光灯を使用して一方向に強く照明する型式やリング形状の蛍光灯管を複数本積み重ねた全方向を均等に照明する型式が提供されている。
【０００３】
以下、その具体例を説明する。まず、白熱電球又は棒状蛍光灯を使用した一方向に強く照明する照明器具は、支持輪を装着された台板に数ｍ長さに及ぶ支柱を起立させ、この支柱の上部に照明灯（蛍光灯）を装着するほか、台板と同体箇所に台板の移動を規制するための係止具を設けたものである（例えば、特許文献１参照。）。
【０００４】
また、リング形状の蛍光灯管を複数本積み重ねた全方向を均等に照明する型式の照明器具は、光源にドーナツ型蛍光灯４灯を使用し、すりガラス調カバーで光の拡散と均質化を図り、更に、キャスター付可変高さのスタンドを採用して作業面に最適な光源位置を確保したものである（例えば、特許文献２参照。）。
【０００５】
【特許文献１】実用新案登録第３０８５９７１号公報
【特許文献２】実用新案登録第３０８５５９７号公報
【考案の開示】
【考案が解決しようとする課題】
【０００６】
上記白熱電球又は棒状蛍光灯管を使用した一方向に強く照明する照明器具では、作業箇所の特定方向への強い照明が効率良く行えるものの、作業現場の全体を明るくできないから、光の当たる箇所と当たらない箇所の照度の明暗が強く、かえって作業性を低下させるという問題がある。
【０００７】
更に、上記ドーナツ型蛍光灯４灯を使用した照明器具は、作業現場の全方向への明るい照明が可能であるものの、上下に積層した各ドーナツ型蛍光灯の中心位置に配置した筒体カバー内に各ドーナツ型蛍光灯の安定器が組み込まれている。このため、点灯しなくなった中側に配置させた蛍光灯管の交換には、外側の蛍光灯管を外さないと交換できず交換作業に手間取る。これにも増して、筒体カバー内の安定器が故障して交換しなければならない時、全ての蛍光灯管や筒体カバーの取り外し分解作業を伴い、非常に交換作業効率（メンテナンス性）を悪くしている。更に、各安定器やドーナツ型蛍光灯は比較的に重量が有って重たい上に発光能率も悪いから、照明器具の上部重量を重くして安定感を損なうし、全方向の明るい照度が得られ難い。そして、支持輪や係止具を装着させた台板も重量が有って重たく、頻繁に移動を余儀無くされる照明器具の移動性・携帯性や製造コストも悪くしているという問題がある。
【０００８】
本考案はこのような点に基づいてなされたものでその目的とするところは、小型軽量で部品交換等のメンテナンス性が良いとともに照明性能と省エネルギー性を向上させた暗所作業照明器を提供することにある。
【課題を解決するための手段】
【０００９】
上記目的を達成するべく本考案の請求項１による暗所作業照明器は、支持体により垂直方向に支持された保持管と、上記保持管に対して水平方向で且つ放射状に複数配置された口金ソケットと、上記各口金ソケットに口金をねじ込んで取り付けられ安定器が内蔵された渦巻型又は電球型をなす蛍光灯と、上記蛍光灯を被うように配置され保持管の上端部及び下端部に固着された半透明のカバー体と、上記カバー体に設けられた電源用コネクターと、を具備したことを特徴とするものである。
【００１０】
また、請求項２による暗所作業照明器は、請求項１記載の暗所作業照明器において、上記支持体は保持管の下端部に接続された支持棒と、支持棒をその下部で直立保持する三脚とからなることを特徴とするものである。
【００１１】
また、請求項３による暗所作業照明器は、請求項１記載の暗所作業照明器において、上記支持体は保持管の上端部に接続された螺子部材と、上記螺子部材に取り付けられたシャコ万力とからなることを特徴とするものである。
【００１２】
また、請求項４による暗所作業照明器具は、請求項１〜３のうちいずれか１項に記載の暗所作業照明器において、上側の半球カバー体の上には防滴半球カバー体が取り付けられていることを特徴とするものである。
【００１３】
また、請求項５による暗所作業照明器具は、請求項１〜４のうちいずれか１項に記載の暗所作業照明器において、保持管の上端部と下端部とを上下に繋ぐことにより２つ以上の暗所作業照明器を連結する連結管と、２つ以上の暗所作業照明器の電源用コネクターとの接続を可能とする接続用コネクターと、を備えたことを特徴とするものである。
【考案の効果】
【００１４】
本考案の暗所作業照明器は、垂直姿勢に支持された保持管に複数の口金ソケットが水平方向に放射状に配置されている。この口金ソケットには、安定器を内蔵させた渦巻型又は電球型の蛍光灯がその口金をねじ込んで取り付けられる。そして、上記蛍光灯を半透明のカバー体で保持管の上下に固着して閉塞したものである。これにより、安定器を内蔵させた渦巻型又は電球型の蛍光灯は、小型軽量で全面方向への照明が可能で且つ明るく、作業能率が高められるとともに、消費電力も少なく省エネルギーである。
【００１５】
更に、上記蛍光灯の寿命が切れた時には、蛍光灯の交換は蛍光灯の口金を逆転させて口金ソケットから口金を簡単に取り外すだけでできるとともに、新しい蛍光灯の取り付けも容易である。また、蛍光灯に内蔵させた安定器が切断等で故障した時は、蛍光灯の取り外し・取り付けだけで行える。つまり、各蛍光灯は保持管に水平方向の放射状に拡げられているから、他の蛍光灯との干渉も無く簡単な交換作業で済みメンテナンス性が良い。
【００１６】
また、上記支持体を、保持管の下端部に支持棒を接続するとともに、上記支持棒を直立保持する三脚に連結したものとすることで、暗所作業照明器を三脚で安定した自由位置に設置でき、暗所照明が安定して確実に行える。
【００１７】
また、上記支持体を、保持管の上端部に接続する螺子部材を備えたシャコ万力とすることで、横梁等家屋内の適宜な吊下げ体にシャコ万力のＣ型湾曲部を引っ掛け締結用ボルトを吊下げ体に安定して確実に締め付け固定することができる。
【００１８】
また、上側の半球カバー体の上に防滴半球カバー体を取り付けた場合には、屋外で雨天の時やトンネル内で水滴か滴下するような時に水滴が半球カバーに直接滴下することを防止することができ、防滴性に優れた暗所作業照明器具とすることができる。
【００１９】
また、２つ以上の暗所作業照明器を併設すべく２つ以上の保持管の上端部と下端部とを上下に繋ぐ連結管と、上記二つ以上の保持管の上下カバー体に設けられた電源用コネクターとの接続を可能とする接続用コネクターと、を備えたものとすることで、２つ以上の暗所作業照明器が一本の電源コードにより容易に繋がれ、より明るい照明を容易に実現することができる。
【考案を実施するための最良の形態】
【００２０】
以下、図１乃至図４を参照して本考案の第１の実施の形態を説明する。図１は暗所作業照明器具の外観斜視図、図２は照明器の外観斜視図、図３は内部構成を示す縦断面図、図４は平断面図である。本考案の暗所作業照明器具１００の全体構成は図１に示すようなものである。まず、支持体１があり、このものは折畳み式の三脚３とその中心位置に設けられた支持棒５を備えている。この支持棒５は２段階で伸縮可能であり、締結具７により高さ調節可能に垂直姿勢に保持されている。上記支持棒５の上端座部５Ａに照明器１０の下端座部１５Ａが取り付けられている。上記照明器１０の下端に設けた電源コネクター１２には、１００ボルト電源コード１１が接続具１３により着脱可能に繋がれている。尚、上記支持棒５は伸縮しないものであっても良い。
【００２１】
上記照明器１０の構成を詳しく説明すると、まず、図３に示すように、支持棒５の上端座部５Ａに保持管１５の下端座部１５Ａを複数のボルトＢ１で着脱可能に取り付けている。上記構成を詳しく説明すると、支持棒５の上端座部５Ａの周囲に複数の孔Ａ１が開けられている。上記孔Ａ１に対面する保持管１５の下端座部１５Ａにも複数の孔Ａ２が開けられていて、半透明の半球カバー体２０の中心部に開けた通孔２０Ｃの外周に開けた孔Ａ３と合わせ、各々をボルトＢ１で締結して取り付けられている。上記保持管１５の中腹部１５Ｂには、口金ソケット１７が水平方向の放射状に複数個（本実施の形態では、６０度間隔で６個）設けられている。各口金ソケット１７には、渦巻型又は電球型の蛍光灯１９をその口金１９Ａをねじ込んで取り付けられている。上記蛍光灯１９は、小型の安定器１９Ｂをコンパクトに内蔵させたもので、一般の電球のような感覚で使用される。
【００２２】
上記蛍光灯１９を閉塞すべく保持管１５の上下に設けた上端座部１５Ｃと下端座部１５Ａに、半透明の半球カバー体２０，２１をその中心部でビスＢ１により固着するとともに、半球カバー体２０，２１の外周縁２０Ａ，２１Ａを重ね合わせた状態で複数のビスＢ２で固着している。上記保持管１５の上端座部１５Ｃと、上側の半透明の半球カバー体２１との取付構成は、図３に示すように、上記保持管１５の上端座部１５Ｃに複数の孔Ａ４が開けられ、半透明の半球カバー体２１の中心部に開けた通孔２１Ｃの外周に開けた孔Ａ５とを合わせ、更に閉塞円板２５の孔Ａ６とを各々合わせた状態で、ボルトＢ１により締結して取り付けている。上記下側の半球カバー体２０内には電源コネクタ−１２を備え、上側の半球カバー体２１内には接続コネクター２２を備えていて、各々が保持管１５内で口金ソケット１７を中継して接続されている。しかして、電源コネクター１２に、電源コード１１が接続具１３で繋がれると、各蛍光灯１９に電圧が供給される。上記接続コネクター２２は、次の照明器１０の電源コネクター１２にコードで繋がれて電圧を供給する。勿論、１つだけの照明器１０の使用では上記接続コネクター２２は不要である。
【００２３】
上記渦巻型又は電球型の蛍光灯１９としては、松下電器社製の渦巻型「パルック（登録商標）ボールスパイラル（Ｄ２５形）と電球型「パルック（登録商標）ボールスパイラル（Ａ２５形）が好適に使用できる。Ｄ２５形は、パルック色・外径５０ｍｍ／長さ１２１ｍｍ・質量７５ｇ・消費電力２２Ｗ・全光束１４６０ｌｍ・定格寿命８０００ｈである。また、Ａ２５形は、パルック色・外径６０ｍｍ／長さ１３７ｍｍ・質量１１２ｇ・消費電力２２Ｗ・全光束１４６０ｌｍ・定格寿命６０００ｈである。尚、上記渦巻型又は電球型の蛍光灯１０は、上記具体例に限定されない。他の型式でも良いし、他のメーカー製のものであっても良い。
【００２４】
以上の構成を基にその作用を説明する。本考案の暗所作業照明器１００は、保持管１５に水平方向に放射状に複数個配置した口金ソケット１７に、安定器１９Ｂを内蔵させた渦巻型又は電球型の蛍光灯１９の口金１９Ａをねじ込んで取り付け、上記蛍光灯を半透明のカバー体２０，２１で保持管１５の上下に固着閉塞したものである。これにより、安定器を内蔵させた渦巻型又は電球型の蛍光灯１９が小型軽量で全面方向への照明性能も明るくなって作業能率が高められるとともに消費電力も省エネルギーとなる。
【００２５】
図１０を参照して新旧照明器具の照度測定比較を行った結果を説明する。測定条件は、光源から１０００ｍｍ離れた位置に照度計を配置して行った。旧照明器は、ＷＳＬ−２０００とＷＳＬ−１８００を使用し、本考案照明器は、Ｄ２５形を使用した。照度は、旧照明器が１０５０ＬｕＸと５００ＬｕＸに対して本考案照明器は９５０ＬｕＸとなり、出力は、旧照明器が１６０Ｗ，１２０Ｗに対して本考案照明器は１３２Ｗとなり、光量は、旧照明器が１３２８０ルーメンと８６４０ルーメンに対して本考案照明器は８７６０ルーメンとなった。この結果から、本考案照明器は、小型軽量で全面方向への照明性能を充分確保でき、しかも消費電力も少なく省エネルギーであることが確認された。
【００２６】
上記渦巻型又は電球型の蛍光灯１９の寿命が切れた時には、蛍光灯の交換は蛍光灯１９の口金１９Ａを逆転させて口金ソケット１７から口金を簡単に取り外せるし、新しい蛍光灯の取り付けも同様に容易にできる。また、蛍光灯に内蔵させた安定器１９Ｂが切断等で故障した時も、蛍光灯の取り外し・取り付けだけで行えるし、各蛍光灯は保持管に水平方向の放射状に拡げられているから、他の蛍光灯との干渉もなく極めて簡単に交換ができメンテナンス性が良い。
【００２７】
次に、図５及び図６を参照して本考案の第２の実施の形態を説明する。この第２の実施の形態の場合は、雨天時等に使用する時の防滴性に優れた暗所作業照明器具２００としたものである。その照明器１０´は、上側の半球カバー体２１の上部から外周側部を覆う防滴半球カバー体２３を、複数箇所で各スペーサＳを介在させて取付ビスＢ３で固着したものである。上記半球カバー体２１と防滴半球カバー体２３との間には、適度の空間が設けられている。
【００２８】
上記構成を詳しく説明すると、まず、保持管１５の上端座部１５Ｃに複数の孔Ａ４が開けられ、半透明の半球カバー体２１の中心部に開けた通孔２１Ｃの外周に開けた孔Ａ５を合わせ、更に閉塞円板２５の孔Ａ６を各々合わせた状態で、ボルトＢ１を通して締結して取り付けられている。また、上記閉塞円板２５の中心位置にスペーサＳを介在させ、このスペーサＳの上部に防滴半球カバー体２３を被せ、スペーサ内を通した取付ビスＢ３の下端が上端座部１５Ｃ中心部のナット１５Ｄに螺着されている。上記半球カバー体２１の外周と防滴半球カバー体２３の外周との取付構成も、同様な取付となっている。その他の構成は上記第１の実施の形態の場合と同じであるので同一部分には同一符号を付して示しその説明は省略する。本実施の形態の暗所作業照明器具２００によると、屋外で雨天の時やトンネル内で水が滴下するような時に水滴が半球カバーに直接滴下することを防止することができ、防滴性に優れた暗所作業照明器具とすることができる。
【００２９】
更に、第３の実施の形態となる暗所作業照明器具３００の照明器１０”を、図７により説明する。この暗所作業照明器具３００は、上記保持管１５の中腹１５Ｂの上下位置に二段重ね以上の口金ソケット１７を配置し、これに多数の蛍光灯１９（図示では、１２個）が口金１９Ａをねじ込んで取り付けたものである。その他の構成は、暗所作業照明器具１００と同一につき説明を省略する。
【００３０】
更に、図７に示す本考案の暗所作業照明器具３００は、保持管１５の中腹上下位置に二段重ね以上の口金ソケット１７を配置し、これに多数の蛍光灯１９が口金１９Ａをねじ込んで取り付けられるから、非常に明るい照度が全面方向に均等に得られ、暗所での作業をより一層確実に行える。また、図８に示す本考案の暗所作業照明器具４００は、上記二つの暗所作業照明器１０を連結管１６の両端で上下二段に連結させたもので、上記二つの保持管１０の上下カバー体２０，２１に備える電源コネクター１２，接続コネクター２２をコードＣで繋ぐことにより実行される。これにより、非常に明るい照度が全面方向に均等に得られ、暗所での作業をより一層確実に行える。
【００３１】
更に、保持管１５の下端部１５Ａは伸縮支持体３に繋がれて最適な高さに直立保持されるとともに、三脚１で安定した自由位置に任意・適宜に設置させられ暗所照明が確実に行える。
【００３２】
更に、図８に示す本考案の暗所作業照明器具４００のように、上記二つの暗所作業照明器１０を上下二段に連結させても良い。その構成は、各保持管１５を連結管（ブラケット）１６の両端とボルトＢ１により上端座部１５Ｃと下端座部１５Ｂとを上下に繋いだものである。その詳細構成は、図９に示すように、連結管（ブラケット）１６の下端座部１６Ａと上端座部１６Ｂには、その周囲に複数の孔Ａ４，Ａ５が開けられている。上記下端座部１６Ａと上端座部１６Ｂに対面する保持管１５の下端座部１５Ａと上端座部１５Ｃにも複数の孔Ａ６，Ａ７が開けられていて、半透明の半球カバー体２０，２１の中心部に開けた通孔２０Ｃ，２１Ｃの外周に開けた孔Ａ３，Ａ５とを合わせ、各々にボルトＢ１を通して着脱可能に取付けたものである。そして、上記二つの保持管１５の上下カバー体２０，２１に備える電源コネクター１２，接続コネクター２２をコードＣで繋ぐことにより実行される。その他の構成は、暗所作業照明器具１００と同一につき説明を省略する。
【００３３】
次に、本考案の暗所作業照明器具１００，２００，３００，４００の使用例をスタンド型と吊り下げ型で説明する。図１１に示すスタンド型では、二段スタイル「ａ」と防滴スタイル「ｂ」と２灯以上を連結したスタイル「ｃ」とがある。また、図１２に示す吊り下げ型では、支持体１の変更例として、照明器１０における保持管１５の上端座部１５Ｃにシャコ万力４０を取り付け、このシャコ万力を天井の横吊棒３０に引っ掛けて吊り下げている。その使用例として、標準スタイル「ａ」と二段スタイル「ｂ」と防滴スタイル「ｃ」と２灯以上を連結したスタイル「ｄ」とがある。勿論、上記以外の使用例が考えられるのは勿論である。
【００３４】
上記暗所作業照明器に対するシャコ万力４０の取り付け構成の詳細を図１３に示す。まず、支持体１の構成であるが、上記保持管１５の上端部１５Ｃにシャコ万力（Ｃクランプ）４０の下端に連結した螺子部材Ｂｏである螺子棒４１で保持管１５の上端部１５Ｃの中心に設けた螺子に螺通し、ロックナットＲＮで固着している。尚、カバー体２１の中心孔２１Ｃが蓋板２７を介してボルトＢ１で上端部１５Ｃに固着されている。上記シャコ万力４０のＣ型湾曲部４３の上部に締結用ボルト（締付けねじ棒）４５を螺合している。これで水平支持棒３０に締め付けて固定される。この構成により、建物天井の水平梁（水平支持棒）３０に吊り下げての設置が容易に行える。
【００３５】
本考案の暗所作業照明器具１００，２００，３００，４００における実施の形態によると、下記の効果を奏することができる。まず、各蛍光灯は保持管に水平方向の放射状に拡げて配置されているから、安定器を内蔵した蛍光灯の寿命が切れた時や安定器が故障した時は、その蛍光灯を逆転させて口金ソケットから口金を簡単に取り外せ、新しい蛍光灯との交換が容易にできる。即ち、他の蛍光灯との干渉も無く極めて簡単な交換作業で済み容易にメンテナンスできる。また、蛍光灯は小型・軽量化され、更に、全面方向への照度も均一で明るく作業能率が高められ消費電力も省エネルギー化できる。
【００３６】
また、本考案の暗所作業照明器は、保持管の下端部を支持体に繋がれて直立保持され、三脚で安定した自由位置に適宜に設置できるから、暗所照明が確実にできる。更に、本考案の暗所作業照明器具は、二つの保持管の上端部と下端部とを連結管（ブラケット）の上下に繋ぎ、上記二つの保持管の上下カバー体に備えた電源用コネクタ−と接続用コネクタとを接続することで、二つの暗所作業照明器が一本の電源コードにより容易に繋げ、迅速に点灯できる。そして、非常に明るい照度が全面方向に均等にでき、暗所での作業をより一層確実にできる。
【００３７】
更に、暗所作業照明器にシャコ万力を接続すれば、上記シャコ万力のＣ型湾曲部を建物天井の水平梁等の吊下げ体に引っ掛け締結用ボルトにより容易に締め付け固定できる。更に、二つまたは二つ以上の暗所作業照明器を水平梁等の吊下げ体に引っ掛けた時は、各暗所作業照明器の電源用コネクタ−と接続用コネクタ−とを電源コードで容易に繋げば良く、複数の暗所作業照明器を迅速に点灯できる。しかして、非常に明るい照度が全面方向に均等にでき、暗所での作業をより一層確実にできる。また、上側の半球カバー体の上に防滴半球カバー体を取り付ければ、屋外で雨天の時やトンネル内で水が滴下するような時に水滴が半球カバーに直接滴下することを防止することができ、防滴性に優れた暗所作業照明器具とすることができる。また、暗所作業照明器を二組以上設置しても、各暗所作業照明器を電源用コネクタ−と接続用コネクタ−とで接続でき、二組以上設置した暗所作業照明器が一本の電源コードで容易に繋げ、複数の暗所作業照明器を迅速に点灯できる。
【産業上の利用可能性】
【００３８】
本考案は、その対象物を暗所における作業照明器具としての使用例で説明したが、様々な用途の照明器具への適用が可能である。例えば、各種イベント等での臨時用の照明器具等としても適用できる。
【図面の簡単な説明】
【００３９】
【図１】本考案の第１の実施の形態を示す図で暗所作業照明器具の外観斜視図である。
【図２】本考案の第１の実施の形態を示す図で照明器の外観斜視図である。
【図３】本考案の第１の実施の形態を示す図で照明器の縦断面図である。
【図４】本考案の第１の実施の形態を示す図で照明器の平断面図である。
【図５】本考案の第２の実施の形態を示す図で照明器の縦断面図である。
【図６】本考案の第２の実施の形態を示す図で照明器の平断面図である。
【図７】本考案の第３の実施の形態を示す図で照明器の平断面図である。
【図８】本考案の第４の実施の形態を示す図で照明器の縦断面図である。
【図９】本考案の第４の実施の形態を示す図で照明器の要部断面図である。
【図１０】本考案の照明器と旧照明器具との照度測定比較図である。
【図１１】本考案の第１〜４の実施の形態を示す図でスタンド型の使用例図である。
【図１２】本考案の第１〜４の実施の形態を示す図で吊り下げ型の使用例図である。
【図１３】本考案の照明器を吊り下げ型とした詳細図である。
【符号の説明】
【００４０】
１              支持体
３              折畳み式の三脚
５              伸縮支持体
５Ａ            上端座部
７              締結具
１０，１０´    照明器
１０”          照明器
１１            電源コード
１２            電源コネクター
１３            接続具
１５            保持管
１５Ａ          下端座部
１５Ｂ          中腹部
１５Ｃ          上端座部
１６            連結管
１６Ａ          下端座部
１６Ｂ          上端座部
１７            口金ソケット
１９            蛍光灯
１９Ａ          口金
１９Ｂ          安定器
２０，２１      半球カバー体
２０Ａ，２１Ａ  外周縁
２０Ｃ，２１Ｃ  通孔
２２            接続コネクター
２３            防滴半球カバー体
２５            閉塞円板
３０            水平支持棒
４０            シャコ万力
４１            螺子部材（螺子棒）
４３            Ｃ型湾曲部
４５            締結用ボルト
１００          暗所作業照明器具
２００          暗所作業照明器具
３００          暗所作業照明器具
４００          暗所作業照明器具
Ａ１〜Ａ６      孔
Ｂ              ボルト
Ｂ１            ボルト
Ｂ２            ボルト
Ｂｏ            螺子部材（ボルト）
【図１】
0003118411.tif 000003
【図２】
0003118411.tif 000004
【図３】
0003118411.tif 000005
【図４】
0003118411.tif 000006
【図５】
0003118411.tif 000007
【図６】
0003118411.tif 000008
【図７】
0003118411.tif 000009
【図８】
0003118411.tif 000010
【図９】
0003118411.tif 000011
【図１０】
0003118411.tif 000012
【図１１】
0003118411.tif 000013
【図１２】
0003118411.tif 000014
【図１３】
0003118411.tif 000015